【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
ステアリングシャフトとともに回転される回転部材と、
該回転部材が回転自在に取り付けられ、前記ステアリングシャフトの外側の固定部に固定される固定部材と、
前記回転部材及び前記固定部材の一方に起立された外周壁と他方に起立された内周壁とが対向して前記外周壁と前記内周壁との間に形成された環状の空間内に前記外周壁と前記内周壁に沿って同一方向に導入されるとともに途中で折り返し重ねて螺旋状に巻かれて配置され、各々の両端が前記回転部材及び前記固定部材にそれぞれ設けられたコネクタハウジング内の端子に電気接続された複数の可撓性のフラットハーネスとを備える回転コネクタ装置であって、
前記回転部材及び前記固定部材は、前記外周壁及び前記内周壁と同方向に起立され、前記外周壁及び前記内周壁の起立先端側から重ねて挿入された前記複数の可撓性のフラットハーネスを保持する間隙を前記外周壁及び前記内周壁との間に形成する壁部と、該壁部と同方向に起立され、前記間隙に重ねて保持された前記複数の可撓性のフラットハーネスを、前記空間側に位置するフラットハーネスから順に、前記外周壁及び前記内周壁の周壁面に沿った異なる位置から前記空間内に個別に案内して導入する複数のガイド部とを有し、
前記フラットハーネスの折返した部分が接触して該折返した部分に折返し方向の過荷重がかかったとき前記折返した部分で前記フラットハーネスを切断する切断構造を前記複数のガイド部にそれぞれ設けた
ことを特徴とする回転コネクタ装置。
【請求項２】
前記複数のガイド部の一つが前記壁部と一体に形成されている
ことを特徴とする請求項１に記載の回転コネクタ装置。
【手続補正２】
【補正対象書類名】明細書
【補正対象項目名】０００９
【補正方法】変更
【補正の内容】
【０００９】
上記目的を達成するために、本発明の請求項１に係る回転コネクタ装置は、ステアリングシャフトとともに回転される回転部材と、該回転部材が回転自在に取り付けられ、前記ステアリングシャフトの外側の固定部に固定される固定部材と、前記回転部材及び前記固定部材の一方に起立された外周壁と他方に起立された内周壁とが対向して前記外周壁と前記内周壁との間に形成された環状の空間内に前記外周壁と前記内周壁に沿って同一方向に導入されるとともに途中で折り返し重ねて螺旋状に巻かれて配置され、各々の両端が前記回転部材及び前記固定部材にそれぞれ設けられたコネクタハウジング内の端子に電気接続された複数の可撓性のフラットハーネスとを備える回転コネクタ装置であって、前記回転部材及び前記固定部材は、前記外周壁及び前記内周壁と同方向に起立され、前記外周壁及び前記内周壁の起立先端側から重ねて挿入された前記複数の可撓性のフラットハーネスを保持する間隙を前記外周壁及び前記内周壁との間に形成する壁部と、該壁部と同方向に起立され、前記間隙に重ねて保持された前記複数の可撓性のフラットハーネスを、前記空間側に位置するフラットハーネスから順に、前記外周壁及び前記内周壁の周壁面に沿った異なる位置から前記空間内に個別に案内して導入する複数のガイド部とを有し、前記フラットハーネスの折返した部分が接触して該折返した部分に折返し方向の過荷重がかかったとき前記折返した部分で前記フラットハーネスを切断する切断構造を前記複数のガイド部にそれぞれ設けたことを特徴とする。
【手続補正３】
【補正対象書類名】明細書
【補正対象項目名】００１０
【補正方法】変更
【補正の内容】
【００１０】
上記構成により、ステアリングシャフトとともに回転される回転部材と、この回転部材が回転自在に取り付けられステアリングシャフトの外側の固定部に固定される固定部材との何れか一方に外周壁が、他方に内周壁がそれぞれ起立され互いに対向されてこれらの間に形成された環状の空間内に、回転部材及び固定部材にそれぞれ設けられたコネクタハウジング内の端子に各々の両端が電気接続された複数の可撓性のフラットハーネスが外周壁と内周壁に沿って同一方向に導入されるとともに途中で折り返し重ねて螺旋状に巻かれて配置されている。回転部材及び固定部材には、外周壁及び内周壁と同方向に壁部と複数のガイド部が起立され、壁部と外周壁及び内周壁との間に形成された間隙に複数の可撓性のフラットハーネスが外周壁及び内周壁の起立先端側から重ねて挿入して保持されている。間隙に重ねて保持された複数の可撓性のフラットハーネスは、複数のガイド部により、空間側に位置するフラットハーネスから順に、外周壁及び内周壁の周壁面に沿った異なる位置から複数のガイド部により空間内に個別に案内されて導入されている。
したがって、切断構造を設けた複数のガイド部にフラットハーネスの折返した部分が接触した状態で、万一各フラットハーネスに過大な引張力が作用して折返した部分に折返し方向の過荷重がかかったときには、この折返した部分でフラットハーネスが破損して切断されるようになる。しかしながら、フラットハーネスが破損し切断される箇所が外周壁及び内周壁の周壁面に沿った異なる位置をとることになるので、フラットハーネスの破損切断箇所でフラットハーネス同士の短絡の心配が解消される。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
また、複数のガイド部を配置しても外周壁と内周壁との間に形成された環状の空間内のスペースが何ら肥大化することがなく、構造が簡素化・省スペース化される。
【手続補正１０】
【補正対象書類名】明細書
【補正対象項目名】００１７
【補正方法】変更
【補正の内容】
【００１７】
さらに、各フラットハーネスを重ねた状態で壁部に沿って配索しつつ各ガイド部から一枚ずつ省スペースで且つ折れ曲がり等なくスムーズに外周壁と内周壁との間に形成された環状の空間内に導入させることができ、フラットハーネスの耐久性と給電の信頼性が確保される。
【手続補正１１】
【補正対象書類名】明細書
【補正対象項目名】００１９
【補正方法】変更
【補正の内容】
【００１９】
この回転コネクタ装置１は、図１（表面側から見た図）の如く、各合成樹脂製の固定部材としての固定カバー（一方のカバー）２と回転部材としての回転カバー（他方のカバー）３と固定蓋４と回転筒５と、固定カバー２と回転カバー３と固定蓋４とで囲まれた環状の空間内に重ねて略螺旋状に収容される二枚の可撓性のフラットハーネス６とを備え、図２，図３（裏面側から見た図）の如く固定カバー２の外周壁７側と回転カバー３の内周壁８側とに、二枚のフラットハーネス６（６1，６2）を別々に離間させて独立して挿通させる各二つのガイド壁１１，１２及び３３，３４をハーネス長手方向に離間してそれぞれ配設したことを特徴とするものである。
【手続補正１２】
【補正対象書類名】明細書
【補正対象項目名】００３１
【補正方法】変更
【補正の内容】
【００３１】
二枚のフラットハーネス６（図１）は固定カバー２のコネクタハウジング１５内の端子に接続される部分（接続部）１６と、接続部１６に続いて固定カバー２の凹溝１８（図２）に沿う真直な部分４５と、真直な部分４５から図１の例で反時計回りに大径に一周する外周（外側）部分３７と、外周部分３７から反転して（反転部を符号３９で示す）、時計回りに小径に一周する内周（内側）部分３８と、内周部分３８から立ち上げられて、回転カバー３のコネクタハウジング４０内の端子に接続される部分（接続部）４１とを有して、略環状ないし略螺旋状に構成されている。なお、図１に示されるように、二枚のフラットハーネス６は、その真直な部分４５の長手方向が回転部材の回転方向となっている外周部分３７と異なる、回転部材の回転軸に直交する方向に変更されるとともに、その表面の向きが外周部分３７の向きと直交する方向に向くように捻られている。また、二枚のフラットハーネス６は、部分（接続部）４１に至る内周部分３８から立ち上り部の表面の向きは回転部材と変わりはないが、その長手方向が回転部材の回転方向となっている内周部分３８と異なる、回転部材の回転軸方向に変更されるように捻られている。
【手続補正１３】
【補正対象書類名】明細書
【補正対象項目名】００３５
【補正方法】変更
【補正の内容】
【００３５】
図３において万一各フラットハーネス６が過大な力で固定カバー２の各ガイド壁１１，１２の先端２１を支点として反転方向に強く引っ張られ、各ガイド壁１１，１２の先端２１に設けられた切断構造と干渉して、鎖線４６の如く各フラットハーネス６がハーネス長手方向に離間した位置で損傷して切断しても、両フラットハーネス間の短絡が起こらず、短絡に起因する電装品や補機等の誤作動が防止される。これは回転カバー３側のガイド壁３３，３４においても同様である。
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４２
【補正方法】変更
【補正の内容】
【００４２】
１                      回転コネクタ装置
２                      固定カバー（固定部材）
３                      回転カバー（回転部材）
６                      フラットハーネス
７                      外周壁
８                      内周壁
１１，１２，３３，３４  ガイド壁（ガイド部）
１９，３２              壁部